(57)【特許請求の範囲】
【請求項１】
道糸とハリスの間に介在させる釣糸用接続具であって、該釣糸用接続具は、
１本の弾性線条体の両端にそれぞれ所定の長さの合成樹脂チューブを嵌挿し、前記弾性線条体の端部をそれぞれ折り返して、該折り返した前記弾性線条体の端部を前記弾性線条体の実長部に接合することにより、端部にほぼ前記合成樹脂チューブの長さに相当する周長を持つほぼ馬蹄形のループが形成されるとともに、
前記接合された弾性線条体の端部のうち、接合面と反対側の面がテーパ状に削成されていることを特徴とする釣糸用接続具。
【請求項２】
前記ループ部に被覆された合成樹脂チューブの両端のうち、前記ループ部の外側肉厚部分がテーパ状に削成されていることを特徴とする請求項１に記載の釣糸用接続具。
【請求項３】
前記接合が熱融着によるものであることを特徴とする請求項１又は２に記載の釣糸用接続具。
【請求項４】
前記合成樹脂チューブのほぼ中央部の表面に、チューブの長さ方向と直角方向の周上に溝が設けられていることを特徴とする請求項１乃至３のいずれかに記載の釣糸用接続具。
【請求項５】
前記ループ部のうち少なくとも一方にサルカンが鎖状に繋がれていることを特徴とする請求項１乃至４のいずれかに記載の釣糸用接続具。

【発明の詳細な説明】
【０００１】
【発明の属する技術分野】
本発明は、釣糸用接続具の改良に関し、詳しくは道糸側とハリスとを接続し、魚が釣れた際の衝撃を緩和し、ハリスの切れを防止する釣糸用接続具の改良に関する。
【０００２】
【従来の技術】
一般に魚釣においては、魚の警戒心が強いために釣針に直接接続される釣糸は極力細いものを使用する方が釣果に優れるものとなる。しかし、実際に魚の目に触れるのは釣針に近い部分の釣糸であるため、釣糸は釣針に直接接続される細い線条のハリスと、釣人の手元からこのハリスまでの間を結ぶ比較的太い線条の道糸とに分けて構成されている。
【０００３】
しかしながら、ハリスが細くなるほど引張強度が弱くなり、魚が釣針にかかった際の衝撃によりハリスが切れやすいという問題がある。
【０００４】
近年、このような魚が釣針にかかった際の衝撃を緩和し、ハリスの合せ切れを少しでも少なくする手段として、道糸とハリスの間に接続される、「クッションゴム」と称される釣糸用接続具が提案され、市販されている。この釣糸用接続具の外観は図１に示す通りであり、その使用状態は図２に示す通りである。
【０００５】
このような釣糸用接続具１を構成する弾性線条体２としては、従来、天然ゴムあるいはシリコンゴム、ウレタンゴム等の合成ゴムが使用されていたが、かかる弾性部材を用いてなる釣糸用接続具を使用すると、ハリス切れに対する一定の効果は得られるものの、一回ないし数回の使用により弾性部材が伸びてしまいもはや弾性体として機能しなくなるために、頻繁に取替える必要があり不経済であるとともに、交換が煩雑であった。
【０００６】
かかる問題を解決するものとして、十分な伸縮性を有してクッション効果を発揮し、かつ度重なる使用においてもその特性が低下することなく半永続的に使用できる熱可塑性ポリウレタンエラストマーからなる弾性線条体を利用した釣糸用接続具が提案されている（特許文献１、特許文献２参照）。
【０００７】
【特許文献１】
特許第２８４３７９０号公報
【０００８】
【特許文献２】
特許第３１７２１２８号公報
【０００９】
【発明が解決しようとする課題】
しかしながら、かかる熱可塑性ポリウレタンエラストマーからなる弾性線条体を利用した釣糸用接続具においても、以下のような問題があった。
【００１０】
すなわち、第一には、図３（Ａ）に示されるように、弾性線条体２のループ部に繋がれたサルカン（金属製撚戻し具）３のリングが、かかった魚の引っ張り力によって弾性線条体のループ部に食い込み、該食い込んだ部分のみが偏って伸びるため、その部分で切れ易くなるという問題である。また、これはサルカンによらず、道糸やハリスを直接ループ部に結び付けた場合でも起こり得ることである。この切断を防ぐためには、弾性線条体２の材質を硬くするということも考えられるが、そのようにすると逆に伸縮性に欠け、十分なクッション効果が得られなくなる。従って、十分な伸縮性を有する弾性線条体が使用され、かつ、ループ部の補強が図られた釣糸用接続具が求められている。
【００１１】
第二には、図３（Ｂ）に示されるような形状に起因する問題である。すなわち、一般に使用される釣糸用接続具では、サルカンの端部のリングに弾性線条体端部を挿通し、このリングに挿通された弾性線条体の端部を折返して弾性線条体の実長部に接合してループ部が形成されるが、前記弾性線条体はある程度の太さ（約２〜３ｍｍ）を有するため、接合された弾性線条体の端部４に図３（Ｂ）のようにハリス等がからまり、この部分でハリス等が切断されることがあった。
【００１２】
本発明は、かかる従来技術の問題点に鑑み為されたものであり、本発明の目的は、弾性線条体のループ部の補強が図られ、かつ、ハリス等のからまりの少ない釣糸用接続具を提供することにある。
【００１３】
【課題を解決するための手段】
本発明は釣糸用接続具に関し、本発明の上記目的は、道糸とハリスの間に介在させる弾性線条体からなる釣糸用接続具において、前記弾性線条体の両端部分に、ほぼ馬蹄形の形状を有するチューブ状の補強材が被覆されて強化されたループ部が設けられた釣糸用接続具によって達成される。
【００１４】
また、本発明の上記目的は、前記補強材を、金属若しくは合成樹脂から成る成型品とすることによって、効果的に達成される。
【００１５】
さらに、本発明の上記目的は、前記補強材のほぼ中央部の表面に、チューブの長さ方向と直角方向の周上に溝を設けることによって、さらに効果的に達成される。
【００１６】
またさらに、本発明の上記目的は、１本の弾性線条体の両端にそれぞれ所定の長さの合成樹脂チューブを通し、前記弾性線条体の端部を折り返して、端部にほぼ前記合成樹脂チューブの長さに相当する周長を持つループを形成し、該折り返した弾性線条体の端部を前記弾性線条体の実長部に接合することによりループ部が形成される釣糸用接続具によって達成される。
【００１７】
また、本発明の上記目的は、前記接合された弾性線条体の端部のうち、接合面と反対側の面をテーパ状に削成することにより、或いは、前記ループ部に被覆された合成樹脂チューブの両端のうち、前記ループ部の外側肉厚部分をテーパ状に削成することにより、或いは、前記接合を熱融着によって行うことにより、或いは、前記合成樹脂チューブのほぼ中央部の表面に、チューブの長さ方向と直角方向の周上に溝を設けることにより、或いは、前記ループ部のうち少なくとも一方にサルカンを鎖状に繋ぐことにより、より効果的に達成される。
【００１８】
【発明の実施の形態】
以下、本発明に係る釣糸用接続具について、図面に基づき詳細に説明する。
【００１９】
図４は、本発明に係る釣糸用接続具の実施の形態を示すものであり、図４（ａ）は本発明の第１実施例を示す図である。弾性線条体２の端部に合成樹脂チューブ５が被覆されたループ部６が形成されたものである。接合部７は接着剤による接着、若しくは熱融着によって接合してもよいし、又は、押出し成形で作製された弾性線条体２の端部を温かいままあるいは再度加温して温めた状態で合成樹脂チューブ５を通して折り返し、折り返しによって重なる部分の周りを型で覆って（図示せず）からそこに同じ材料を溶融射出して接合部７を一体成形してもよい。これによって、魚が掛かってもループ部６が切れることがなくなる。
【００２０】
前記弾性線条体２の材料としては、伸縮性及び耐久性の面から、熱可塑性ポリウレタンエラストマーが適していることが知られている。
【００２１】
熱可塑性ポリウレタンエラストマーとしては、例えば、レザミン（大日精化学工業製）、ペレセン（エム・ディー化成製）、エラストラン（日本エラストラン製）、パラプレン（日本ポリウレタン工業製）パンディックス（大日本インキ化学工業製）、タケラック（武田バーデッシュ製）、デスモパン（バイエル／住友バイエルウレタン製）、ユーファイン（旭硝子製）、クラミロン（クラレ製）、ペレセン（ダウケミカル製）、ハイプレン（三井日曹ウレタン製）、ミラクトラン（日本ミラクトラン製）、アイアンラバー（日本オイルシール工業製）などが例示できる。このような熱可塑性ポリウレタンエラストマーのうち、より好ましくは、そのソフトセグメントがポリエステルであるエステル系熱可塑性ポリウレタンエラストマーが、さらにアジペート型エステル系熱可塑性ポリウレタンエラストマーが、優れた引張強度、伸び率等の物性を有するものであるため望ましい。このようなアジペート型エステル系熱可塑性ポリウレタンエラストマーとしては、例えばレザミン Ｐ−１０００シリーズ（大日精化学工業製）などが例示できる。さらに、物理的特性面からは、引張強度が１３２〜１４９ＫＮ／ｍ、伸び率４００％程度、反発弾性３８％程度、ＪＩＳ硬度Ａ９５ＪＩＳＡ程度といった物性を有するものであることが望ましく、これらを満たすものとしては、例えば、前記レザミン Ｐ−１０００シリーズを例示にとれば、レザミンＰ−１０９０、Ｐ−１０９８がある。
【００２２】
本発明に係る釣糸用接続具１において、弾性線条体２の直径および長さは、釣りの対象となる魚の種類、大きさに応じて適宜選択されるものであるために、一概に規定することはできないが、例えば、直径１．０〜６．０ｍｍ、長さ１５０〜２０００ｍｍ程度で使用される。より具体的には、例えば直径１．５ｍｍ程度の弾性線条体２の場合には、ハリス５号以下の接続に適合し、また直径２．０ｍｍ程度の弾性線条体２の場合には、ハリス１０号程度以下の接続に適合するものと考えられる。更に、長さは対象魚や釣り方に応じて適宜選択される。もちろん弾性線条体２の直径や長さなどは上述のものに何ら限定されるものではない。
【００２３】
また、合成樹脂チューブ５の材料としては、例えば、ポリ塩化ビニル、ポリエチレン、ポリプロピレン、ポリカーボネート、６ナイロン、ジュラコン（アセタール樹脂）等が使用でき、チューブの肉厚は１〜３ｍｍ程度が好ましい。肉厚が薄過ぎると切れやすくなるし、厚過ぎると曲がりにくくなるのでループ状に成形することが困難となるからである。
【００２４】
なお、上記は、既製の合成樹脂チューブを曲げて使用する場合のことであり、後述のように、前記材料もしくは金属（ステンレス等）を用いた成型品（馬蹄形に成形されたチューブ状のもの）であれば、チューブの肉厚は適宜決定してもよい。
【００２５】
図４（ｂ）は、本発明の第２実施例を示す図であり、図４（ａ）における弾性線条体２の端部４を点線のように削りとったものである。このようにすることにより、ハリス等が引っ掛かるおそれがなくなる。
【００２６】
さらに、図４（ｃ）は、本発明の第３実施例を示す図であり、図４（ｂ）における合成樹脂チューブ５の端部の外側部分を斜めに削りとったものである。このようにすることにより、ハリス等がこの部分に引っ掛かるおそれがなくなる。
【００２７】
図５は本発明に係る釣糸用接続具の製造工程の一例を示すものである。
【００２８】
まず、弾性線条体２の一端部４を、合成樹脂チューブ５に挿通し（図５（ａ）及び（ｂ））、端部４を折り返してループ部６を形成し（同（ｃ））、接合部７において、接着剤又は熱融着等により接合した後（同（ｄ））、弾性線条体２の端部４及び合成樹脂チューブの端部の外側を削りとり（同（ｅ））、完成する（同（ｆ））。同様の手順で、前記弾性線条体２の他端についてもループ加工を行う。
【００２９】
図６は、前記ループ部にサルカン３を挿通してから、接合部７を接合する場合の工程を示す図であり、図５における工程（ｂ）と（ｃ）の間にサルカン３を挿通させる工程を追加したものである。これ以外の工程は図５の（ｃ）〜（ｆ）と同一であるので説明は省略する。
【００３０】
もちろん弾性線条体２の直径や長さなどは上述のものに何ら限定されるものではなく、対象魚や釣り方に応じて適宜選択される。
【００３１】
図７は、本発明に係る釣糸用接続具の第４実施例を示す図であり、補強材５が前述の様なチューブを曲げたものではなく、金属もしくは前記合成樹脂を材料として型を用いて馬蹄形に成形した成型品であることを特徴とするものである。このようにすることにより、一定の形状のものを量産することが可能となり、またチューブの肉厚を任意に設定できるようになる。
【００３２】
図７（ａ）は成形された補強材５に、熱して柔らかくなった弾性線条体２を挿通する直前の状態を表した図であり、図７（ｂ）は、前記弾性線条体２を補強材５に挿通した後の状態を表している。このあとは、図５の（ｃ）以降と同様の手順で製造することができる。なお、補強材５の両端部は型でテーパ状に成形されているので、図５（ｅ）のように削る必要はない。
【００３３】
図８は、本発明に係る釣糸用接続具の第５実施例を示す図であり、補強材５のほぼ中央部の表面に、チューブの長さ方向と直角方向の周上に溝８を設けたことを特徴としている。これは、ハリス（又は道糸）を直接結びつけた場合に、ずれが生じないようにするためである。
【００３４】
また、弾性線条体２は必要に応じて、例えば道糸側からハリス側に向って漸次縮径されるようなテーパ状のものとしたり、あるいはよりコンパクトな形状で高い伸びを発揮するように複数の環部を連結したような形状としたりする等、適宜その径および形状を変化させたものとすることもできる。
【００３５】
なお、この弾性線条体２に係止されるサルカン３の材質は、特に限定されるものではなく、真鍮製、ステンレス製等の従来公知の任意のものを用いることができ、またその形状としても任意のものであり、さらにいわゆるサルカン以外にも、同様に機能するものであれば、金属製撚戻し具としてはいかなるものであってもよい。また、サルカンは一般には弾性線条体２の少なくとも一端に取り付けられるが、上述のようにサルカンを取り付けずに、弾性線条体２に合成樹脂チューブを通して両端をループ状に形成して直接ハリスや道糸に結びつけるようにしても良いことは言うまでもない。
【００３６】
尚、上述の実施例は本発明の好適な実施の一例ではあるがこれに限定されるものではなく本発明の要旨を逸脱しない範囲において種々変形実施可能である。例えば、弾性線条体２を目的寸法よりもあらかじめ太目に押出し成形などによって製作してサルカン３などを取り付けた後、弾性線条体２を再び７０〜９０℃程度、好ましくは８０℃前後に加熱してから引き伸ばし、直径及び長さを目的寸法に調整することも可能である。
【００３７】
【発明の効果】
以上述べたように、本発明に釣糸用接続具よれば、道糸とハリスの間に介在されて使用された際に、十分な伸縮性を有してクッション効果を発揮し、魚が釣針にかかった際の引きによる魚の外れや糸切れを防止できるとともに、弾性線条体のループ部の補強が図られているために、ループ部が切れにくく、また、ハリス等のからまりの少なくなるという優れた効果がある。
【図面の簡単な説明】
【図１】従来の釣糸用接続具の外観の一例を示す図である。
【図２】従来の釣糸用接続具の使用状態の一例を示す図である。
【図３】従来の釣糸用接続具の問題点を説明するための図である。
【図４】本発明に係る釣糸用接続具の実施例の要部（ループ部）を示す図である。
【図５】本発明に係る釣糸用接続具の製造工程の一例を示す図である。
【図６】本発明に係る釣糸用接続具の製造工程（サルカン付）の一例を示す図である。
【図７】本発明に係る釣糸用接続具の第４実施例を示す図である。
【図８】本発明に係る釣糸用接続具の第５実施例（溝有り）を示す図である。
【符号の説明】
１  釣糸用接続具
２  弾性線条体
３  サルカン
４  端部
５  補強材（合成樹脂チューブ又は成型品）
６  ループ部
７  接合部
８  溝
【図１】
0003679399.tif 000002
【図２】
0003679399.tif 000003
【図３】
0003679399.tif 000004
【図４】
0003679399.tif 000005
【図５】
0003679399.tif 000006
【図６】
0003679399.tif 000007
【図７】
0003679399.tif 000008
【図８】
0003679399.tif 000009